(57)【特許請求の範囲】
【請求項１】
所定時間毎に時刻を示す時刻データを出力する時計装置と、
時刻データを記憶すると共に記憶した時刻データが書き換え及び読み出し可能な複数の記憶領域を備えた記憶部と、
前記複数の記憶領域に記憶された時刻データの変更を選択的に指示する指示手段と、
停止時に、前記複数の記憶領域の予め定めた第１の記憶領域に記憶された時刻データにより示される時刻と予め定めた記憶領域以外の第２の記憶領域に記憶された時刻データにより示される時刻との差を演算する演算手段と、
起動時に、前記第１の記憶領域に記憶された時刻データを、前記時計装置から出力された時刻データに書き換えかつ前記第２の記憶領域に記憶された時刻データを、第１の記憶領域に書き換えられた時刻データにより示される時刻と前記演算手段により演算された差とを加算した時刻データに書き換え、起動時後でかつ停止時前は、前記時計装置から前記時刻データが出力される毎に、前記複数の記憶領域に記憶された時刻データを前記所定時間分増加した時刻データに書き換え、前記指示手段により時刻データの変更が指示された場合、選択された時刻データを変更するように書き換える書換手段と、
前記複数の記憶領域各々に記憶された時刻データを表示する表示手段と、
を備えた時間管理装置。
【請求項２】
管理装置に通信回線を介して接続され通信端末装置であって、
所定時間毎に時刻を示す時刻データを出力する時計装置と、
時刻データを記憶すると共に記憶した時刻データが書き換え及び読み出し可能な複数の記憶領域を備えた記憶部と、
前記複数の記憶領域の少なくとも１つでかつ最大前記複数の記憶領域の総数より１小さい数の記憶領域に記憶された時刻データの変更を指示する指示手段と、
停止時に、前記複数の記憶領域の予め定めた第１の記憶領域に記憶された時刻データにより示される時刻と予め定めた記憶領域以外の第２の記憶領域に記憶された時刻データにより示される時刻との差を演算する演算手段と、
起動時に、前記第１の記憶領域に記憶された時刻データを、前記時計装置から出力された時刻データに書き換えかつ前記第２の記憶領域に記憶された時刻データを、第１の記憶領域に書き換えられた時刻データにより示される時刻と前記演算手段により演算された差とを加算した時刻データに書き換え、起動時後でかつ停止時前は、前記時計装置から前記時刻データが出力される毎に、前記複数の記憶領域に記憶された時刻データを前記所定時間分増加した時刻データに書き換え、前記指示手段により時刻データの変更が指示された場合、時刻データを書き換える書換手段と、
前記複数の記憶領域各々に記憶された時刻データを表示する表示手段と、
前記指示手段により時刻データの変更が指示されない記憶領域に記憶された時刻データに基づいて、予め定めた処理を実行するための時刻になったか否かを判断する判断手段と、
前記判断手段により前記時刻になったと判断された場合、前記処理を実行する実行手段と、
を備えた通信端末装置。
【請求項３】
所定時間毎に時刻を示す時刻データを出力する時計装置と、
時刻データを記憶する第１の記憶領域及び第２の記憶領域を備えた記憶部と、
前記時計装置より所定時間毎に出力される時刻データに応じて前記第１の記憶領域及び前記第２の記憶領域に記憶されている時刻データを前記所定時間分増加した時刻データに書き換える書換手段と、
を備えた時間管理装置であって、
前記書換手段は、前記時間管理装置の起動時に、前記時計装置から出力された時刻データを前記第１の記憶領域に初期日時として記憶すると共に、停止時に前記第１の記憶領域に記憶されていた時刻データと前記停止時に前記第２の記憶領域に記憶されていた時刻データとの差分データを、前記第１の記憶領域に初期日時として記憶した時刻データに加算した時刻データを前記第２の記憶領域に初期日時として記憶する、
ことを特徴とする時間管理装置。
【発明の詳細な説明】
【０００１】
【発明の属する技術分野】
本発明は、時間管理装置及び通信端末装置に係り、より詳しくは、時計装置を備えた時間管理装置及び通信端末装置に関する。
【０００２】
【従来の技術及び発明が解決しようとする課題】
従来より、時計を備え、時計の示す日時と一定の時差を表示する時間管理装置が提案されている。この時間管理装置では、時計の日時を変化させると、時差も変化してしまう。
【０００３】
また、一つの時計を備え、この時計により示される日時を基準に、設定された日時になる毎に、定期的な処理を実行する時間管理装置が提案されている。この時間管理装置は、時計の日時の変更をユーザーに許可すると、基準となる日時が変更され、内部処理を定期的に実行することができない。よって、内部処理を定期的に実行するためには、日時の変更をユーザーに許可する時計と、内部処理を実行するための時刻を示す時計と、が必要となる。即ち、複数の時計が必要となり、構成が複雑となる。
【０００４】
本発明は、上記事実に鑑みなされたもので、簡易な構成で複数の時刻を管理することの可能な時間管理装置及び時刻が変更されても定期処理を設定された時刻に実行することの可能な通信端末装置を提供することも目的とする。
【０００５】
【課題を解決するための手段】
上記目的達成のため請求項１記載の発明は、所定時間毎に時刻を示す時刻データを出力する時計装置と、時刻データを記憶すると共に記憶した時刻データが書き換え及び読み出し可能な複数の記憶領域を備えた記憶部と、前記複数の記憶領域に記憶された時刻データの変更を選択的に指示する指示手段と、停止時に、前記複数の記憶領域の予め定めた第１の記憶領域に記憶された時刻データにより示される時刻と予め定めた記憶領域以外の第２の記憶領域に記憶された時刻データにより示される時刻との差を演算する演算手段と、起動時に、前記第１の記憶領域に記憶された時刻データを、前記時計装置から出力された時刻データに書き換えかつ前記第２の記憶領域に記憶された時刻データを、第１の記憶領域に書き換えられた時刻データにより示される時刻と前記演算手段により演算された差とを加算した時刻データに書き換え、起動時後でかつ停止時前は、前記時計装置から前記時刻データが出力される毎に、前記複数の記憶領域に記憶された時刻データを前記所定時間分増加した時刻データに書き換え、前記指示手段により時刻データの変更が指示された場合、選択された時刻データを変更するように書き換える書換手段と、前記複数の記憶領域各々に記憶された時刻データを表示する表示手段と、を備えている。
【０００６】
請求項２記載の発明は、管理装置に通信回線を介して接続され通信端末装置であって、所定時間毎に時刻を示す時刻データを出力する時計装置と、時刻データを記憶すると共に記憶した時刻データが書き換え及び読み出し可能な複数の記憶領域を備えた記憶部と、前記複数の記憶領域の少なくとも１つでかつ最大前記複数の記憶領域の総数より１小さい数の記憶領域に記憶された時刻データの変更を指示する指示手段と、停止時に、前記複数の記憶領域の予め定めた第１の記憶領域に記憶された時刻データにより示される時刻と予め定めた記憶領域以外の第２の記憶領域に記憶された時刻データにより示される時刻との差を演算する演算手段と、起動時に、前記第１の記憶領域に記憶された時刻データを、前記時計装置から出力された時刻データに書き換えかつ前記第２の記憶領域に記憶された時刻データを、第１の記憶領域に書き換えられた時刻データにより示される時刻と前記演算手段により演算された差とを加算した時刻データに書き換え、起動時後でかつ停止時前は、前記時計装置から前記時刻データが出力される毎に、前記複数の記憶領域に記憶された時刻データを前記所定時間分増加した時刻データに書き換え、前記指示手段により時刻データの変更が指示された場合、時刻データを書き換える書換手段と、前記複数の記憶領域各々に記憶された時刻データを表示する表示手段と、前記指示手段により時刻データの変更が指示されない記憶領域に記憶された時刻データに基づいて、予め定めた処理を実行するための時刻になったか否かを判断する判断手段と、前記判断手段により前記時刻になったと判断された場合、前記処理を実行する実行手段と、を備えている。
請求項３記載の発明は、所定時間毎に時刻を示す時刻データを出力する時計装置と、時刻データを記憶する第１の記憶領域及び第２の記憶領域を備えた記憶部と、前記時計装置より所定時間毎に出力される時刻データに応じて前記第１の記憶領域及び前記第２の記憶領域に記憶されている時刻データを前記所定時間分増加した時刻データに書き換える書換手段と、を備えた時間管理装置であって、前記書換手段は、前記時間管理装置の起動時に、前記時計装置から出力された時刻データを前記第１の記憶領域に初期日時として記憶すると共に、停止時に前記第１の記憶領域に記憶されていた時刻データと前記停止時に前記第２の記憶領域に記憶されていた時刻データとの差分データを、前記第１の記憶領域に初期日時として記憶した時刻データに加算した時刻データを前記第２の記憶領域に初期日時として記憶することを特徴とする。
【０００７】
即ち、請求項１記載の発明に係る時計装置は、所定時間毎に時刻を示す時刻データを出力する。記憶部の複数の記憶領域は、時刻データを記憶すると共に記憶した時刻データが書き換え及び読み出し可能である。表示手段は、複数の記憶領域各々に記憶された時刻データを表示する。
【０００８】
演算手段は、停止時に、複数の記憶領域の予め定めた第１の記憶領域に記憶された時刻データにより示される時刻と予め定めた記憶領域以外の第２の記憶領域に記憶された時刻データにより示される時刻との差を演算し、書換手段は、起動時に、前記第１の記憶領域に記憶された時刻データを、前記時計装置から出力された時刻データに書き換えかつ前記第２の記憶領域に記憶された時刻データを、第１の記憶領域に書き換えられた時刻データにより示される時刻と前記演算手段により演算された差とを加算した時刻データに書き換え、起動時後でかつ停止時前は、前記時計装置から前記時刻データが出力される毎に、前記複数の記憶領域に記憶された時刻データを前記所定時間分増加した時刻データに書き換える。
【０００９】
書換手段は、更に、指示手段により時刻データの変更が指示された場合、選択された時刻データを変更するように書き換える。
【００１０】
このように、時計装置と、時刻データを記憶する複数の記憶領域と、を備え、時計装置から所定時間毎に出力される時刻データに応じて複数の記憶領域に記憶された時刻データを書き換えるので、１つの時計装置のみで複数の日時を管理することができ、複数の時計を必要としないので、構成が簡易となる。
【００１１】
請求項２記載の発明に係る通信端末装置は、管理装置に通信回線を介して接続されている。
【００１２】
本通信端末装置は、請求項１記載の発明に係る構成要件を略備えているが、指示手段は、複数の記憶領域の少なくとも１つでかつ最大複数の記憶領域の総数より１小さい数の記憶領域に記憶された時刻データの変更を指示する点で相違する。即ち、指示手段により時刻データの変更が指示されない記憶領域がある。
【００１３】
判断手段は指示手段により時刻データの変更が指示されない記憶領域に記憶された時刻データに基づいて、予め定めた処理を実行するための時刻になったか否かを判断する。
【００１４】
実行手段は、判断手段により前記時刻になったと判断された場合、前記処理を実行する。
【００１５】
このように、指示手段により時刻データの変更が指示されない記憶領域に記憶された時刻を基準に、予め定めた処理を実行するための時刻になったとき、処理を実行するので、指示手段により時刻データの書き換えが指示されても、予め定めた処理を実行するための時刻になったとき、処理を実行することができる。
請求項３記載の発明の時間管理装置は、所定時間毎に時刻を示す時刻データを出力する時計装置と、時刻データを記憶する第１の記憶領域及び第２の記憶領域を備えた記憶部と、前記時計装置より所定時間毎に出力される時刻データに応じて前記第１の記憶領域及び前記第２の記憶領域に記憶されている時刻データを前記所定時間分増加した時刻データに書き換える書換手段と、を備えている。
そして、前記書換手段は、前記時間管理装置の起動時に、前記時計装置から出力された時刻データを前記第１の記憶領域に初期日時として記憶すると共に、停止時に前記第１の記憶領域に記憶されていた時刻データと前記停止時に前記第２の記憶領域に記憶されていた時刻データとの差分データを、前記第１の記憶領域に初期日時として記憶した時刻データに加算した時刻データを前記第２の記憶領域に初期日時として記憶する。
このように、時計装置と、第１の記憶領域及び第２の記憶領域を備えた記憶部と、を備え、起動時に、前記第１の記憶領域に、前記時計装置から出力された時刻データを初期日時として記憶すると共に、前記第２の記憶領域に、前記第１の記憶領域に初期日時として記憶した時刻データに、停止時に前記第１の記憶領域に記憶されていた時刻データと前記停止時に前記第２の記憶領域に記憶されていた時刻データとの差分データを加算した時刻データを初期日時として記憶するので、複数の時計を不用とし、構成を簡易にすることができる。
【００１６】
【発明の実施の形態】
以下、本発明の第１の実施の形態を図面を参照して詳細に説明する。
【００１７】
本形態に係る時間管理装置は、図１に示す様に、記憶部５２を備えている。記憶部５２には、時計制御部５４が接続されている。時計制御部５４には、日時を示し、かつ、所定時間毎に信号を時計制御部５４に出力する絶対時計６４が接続されている。また、時計制御部５４には、絶対時計６４により示される日時を表示する表示部５６、及び絶対時計６４により示される日時を表示部５６に表示するように指示する設定部５８が接続されている。
【００１８】
記憶部５２には、日時を記憶すると共に記憶した日時を読み出し及び書き換え可能な複数の領域（以下、第１の時計Ｗ1 、第２の時計Ｗ2 、第３の時計Ｗ3 ・・・という）が設けられている。記憶部５２には、第１の時計Ｗ1 、第２の時計Ｗ2 、第３の時計Ｗ3 ・・・により示される日時を表示する表示部６０、及び第１の時計Ｗ1 、第２の時計Ｗ2 、第３の時計Ｗ3 ・・・を選択し、選択された時計により示される日時を表示部６０に表示したり変更したりするように指示する設定部６２が接続されている。即ち、設定部６２には、複数の時計Ｗ1 、Ｗ2 、Ｗ3 ・・・がデザイン化されて表示されている。この時計に対応する表示部がタッチされた場合、図示しない日時変更画面に切り替わり、この日時変更画面を操作することにより、日時を変更することができる。
【００１９】
図２には、図示しない操作部の操作により時間管理装置の停止が指示された時に実行される処理ルーチンが示されている。図２のステップ１０２で、前述した複数の時計Ｗ1 、Ｗ2 、Ｗ3 ・・・の各々を識別する変数ｉを１にセットし、ステップ１０４で、変数ｉを１インクリメントし、ステップ１０６で、変数ｉで識別される第ｉの時計Ｗi の日時分秒から第１の時計Ｗ1 の日時分秒を減算した差ΔＷi を演算する。例えば、第２の時計Ｗ2 の日時分秒が、９７年１月３０日２０時４０分００秒であり、第１の時計Ｗ1 の日時分秒が、９７年１月３０日２０時５５分００秒である場合には、差ΔＷ2 は、−１５分と演算される。
【００２０】
ステップ１０８で、変数ｉが、複数の時計の総数ｉ0 に一致するか否かを判断する。変数ｉが総数ｉ0 に一致しない場合には、前述した差を求めていない時計があるので、ステップ１０４に戻って以上の処理（ステップ１０４か、ステップ１０８）を実行する。一方、変数ｉが総数ｉ0 に一致する場合には、全ての時計の差を演算したので本ルーチンを終了する。
【００２１】
図３には、前述した操作部の操作により時間管理装置の起動が指示された時にスタートする制御ルーチンが示されている。図３のステップ１１２で、絶対時計６４の日時分秒Ｔ0 を取り込み、ステップ１１４で、前述した変数ｉを１にセットし、ステップ１１６で変数ｉを１インクリメントする。
【００２２】
ステップ１１８で、第ｉの時計Ｗi の日時分秒として、Ｔ0 ＋ΔＷi を記憶する。
【００２３】
絶対時計の日時分秒Ｔ0 が、９７年２月１日８時１０分００秒であり、前述した差ΔＷ2 が−１５分であるので、第２の時計Ｗ2 の初期日時は、９７年２月１日８時１０分００秒＋（−１５分）＝９７年２月１日７時５５分００秒となる。
【００２４】
ステップ１２０で、変数ｉが総数ｉ0 に一致するか否かを判断し、変数ｉが総数ｉ0 に一致しない場合には、ステップ１１６に戻って、以上の処理（ステップ１１６〜ステップ１２０）を実行し、変数ｉが総数ｉ0 に一致する場合には、ステップ１２２で、処理開始指示信号を時計制御部５４に出力して、本ルーチンを終了する。
【００２５】
図４には、処理開始指示信号を入力した時、時計制御部５４が実行する制御ルーチンが示されている。
【００２６】
図４のステップ１３２で、絶対時計６４から信号入力したか否かを判断する。すなわち絶対時計６４は、前述したように、予め定めた所定時間毎に信号を時計制御部５４に出力する。絶対時計６４から信号を入力した場合には、ステップ１３４で、変数ｉを０にセットし、ステップ１３６で、変数ｉを１インクリメントする。ステップ１３８で、第ｉの時計Ｗi の日時分秒を所定時間ｔ増加する様に指示する。これにより、時計制御部５４は、第ｉの時計Ｗi の日時分秒を所定時間Ｔ増加させる。
【００２７】
次のステップ１４０で、変数ｉが総数ｉ0 に一致しているか否かを判断し、変数ｉが総数ｉ0 に一致していない場合には、ステップ１３６に戻って以上の処理（ステップ１３６から１４０）を実行し、変数ｉが総数ｉ0 に一致する場合には、ステップ１３２に戻る。
【００２８】
以上説明したように、絶対時計と、日時を記憶する複数の領域と、を備え、絶対時計から所定時間毎に出力される信号に応じて複数の領域に記憶された日時を書き換えるので、１つの絶対時計のみで複数の日時を管理することができ、複数の時計を必要としないので、構成が簡易となる。
【００２９】
次に、本発明の第２の実施の形態を説明する。本形態は、通信端末装置に、前述した時間管理装置を備えたものである。
【００３０】
本形態に係わる通信端末装置１２は、図５に示すように、公衆回線を介して、パーソナルコンシュータで構成された管理装置を備えた管理センター１０に接続されている。
【００３１】
通信端末装置１２は、図６に示す様に、実行手段としてのシステム制御部３２を備えている。システム制御部３２は、ＣＰＵ、ＲＯＭ、不揮発性のメモリ（例えば、ＳＲＡＭ）等を含んで構成される。
【００３２】
また、システム制御部３２には、オペレーターによる通信端末装置の提供する各種サービス機能を実行するための操作表示部２２、Ｇ３又はＧ４の通信プロトコルを制御する通信制御装置（送信／受信部）４０を介して、回線の接続、切断、着呼検知を行う、送受信手段としての回線制御部３０、メモリの獲得／解放を制御するＭＭＵ制御部３６、及びＭＭＵ制御部３６に接続され、文書情報及びリモートセンタコールで通知する情報を蓄積する蓄積装置２６が接続されている。蓄積装置２６には、回線制御部３０も接続されている。
【００３３】
更に、システム制御部３２には、操作表示部２２からの指示により、システム制御部３２から読み取りの指示がされて、画情報をページ単位で読み取る読み取り部２４、システム制御部３２からプリントの指示がされて、画情報をプリントするプリンタ部２８が接続されている。プリンタ部２８、読み取り部２４には、システム制御部及び回線制御部３０に接続された画像処理部３４が接続されている。画像処理部３４は、画情報を所定の規則により符号化して圧縮データに変換、及び圧縮データを伸長して元の画情報に復合する符号化、復合化を行う。
【００３４】
なお、システム制御部３２には、文字コードで表現された情報を所定のフォーマットで、人間が読めるレポート情報にするキャラクタジェネレータ部３８、及び時刻を監視し、設定された時刻に達したことを検知する時間制御部（前述した時間管理装置）４２が接続されている。
【００３５】
ここで、設定部６２には、第２の時計Ｗ2 以外の時計がデザイン化されて表示されている。第２の時計Ｗ2 以外の時計に対応する表示部がタッチされた場合、図示しない日時変更画面に切り替わり、この日時変更画面を操作することにより、第２の時計Ｗ2 以外の時計の日時を変更することができる。よって、第２の時計Ｗ2 は、ユーザーによって日時が変更することができない。なお、第２の時計Ｗ2 の日時は、サービスマンの保守作業の一つ又はリモートメンテナンス処理の一つとして、変更するようにしてもよい。
【００３６】
図７には、所定時間毎に実行する定期処理ルーチンが示されている。図７のステップ１５２で、第２の時計Ｗ2 の日時分秒を取り込み、ステップ１５４で、定期処理を開始する時刻として設定された日時分秒と一致するか否か判断する。設定された日時分秒と一致する場合には、定期処理を実行する時刻となったので、ステップ１０６で定期処理を実行する。なお、設定された日時分秒と一致しない場合には、本ルーチンを終了する。
【００３７】
ここで、定期処理には、定期的に行うリモートセンタコールがあり、設定された時刻になった場合にスタートし、自己診断等の保守処理を自動通知したり、課金のための情報、例えば、ビリングメータの情報（プリンタ部２８から入力される）を自動通知したり、使用枚数（プリンタ部２８から入力される）を用紙サイズ毎に集計して通知したり、定期ポーリングしたりするものである。
【００３８】
このように、定期処理はユーザーにより変更されない第２の時計Ｗ2 の日時分秒に基づいて処理されるため、ユーザーにより他の時計の時刻が変更されても、定期処理を予め定められた時刻に実行することができる。
【００３９】
次に、変形例を説明する。
前述したように、複数の時計には、それぞれ別々の時刻を設定可能であるので、例えば、複数の海外取引先の各々に、複数の海外取引先の各々の日時において予め予約した日時分秒に、所定の画像データを送信することができる。即ち、設定部６２を操作して、日時変更画面に切り替え、複数の海外取引先の各々の日時に対応するように複数の時計（第２の時計以外）を設定し、複数の海外取引先各々のファクシミリ番号、及び予約日時分秒を、複数の海外取引先各々の日時に対応するように設定された複数の時計（第２の時計以外）に対応して入力する。なお、第２の時計以外としたのは、前述したように、第２の時計は、定期処理を予め定めた時刻に実行できるように、日時が変更できないようになっているからである。
【００４０】
図８には、この予約実行処理ルーチンが示されている。図８のステップ１６２で、変数ｉを０にセットし、ステップ１６４で、変数ｉを１インクリメントする。
【００４１】
ステップ１６６で、変数ｉが２に一致するか否かを判断する。変数ｉが２に一致する場合には、ステップ１６４に戻る。変数ｉが２に一致しない場合には、ステップ１６８で、時計ｗi の日時分秒で取込み、ステップ１７０で、時計ｗi に対応して定められた予約日時分秒ＲＴi を取り込む。
【００４２】
ステップ１７２で、Ｔi がＲＴｉに一致するか否かを判断し、Ｔi がＲＴi に一致しない場合には、ステップ１７６に進み、Ｔi ＝ＲＴi に一致する場合には、ステップ１７４て予約実行処理（画像データの送信）を実行する。
【００４３】
ステップ１７６で、変数ｉが総数ｉ0 に一致するか否かを判断し、変数ｉが総数ｉ0 に一致しない場合には、ステップ１６４に戻って以上の処理（１６４〜１７６）を実行し、変数ｉが総数ｉ0 に一致した場合には、本ルーチンを終了する。
【００４４】
これにより、各海外取引先の日時において、予約された日時分秒に、画像データを送信することができる。
【００４５】
【発明の効果】
以上説明したように本発明は、時計装置と、時刻データを記憶する複数の記憶領域と、を備え、時計装置から所定時間毎に出力される信号に応じて複数の記憶領域に記憶された時刻データを書き換えるので、１つの時計装置のみで複数の日時を管理することができ、複数の時計を必要としないので、構成が簡易となる、という効果を有する。
【００４６】
また、本発明は指示手段により時刻データの書き換えが指示されない記憶領域に記憶された時刻を基準に、予め定めた処理を実行するための時刻になったとき、処理を実行するので、指示手段により時刻データの書き換えが指示されても、予め定めた処理を実行するための時刻になったとき、処理を実行することができる、という効果を有する。
【図面の簡単な説明】
【図１】時間管理装置のブロック図である。
【図２】時間管理装置が停止する際に実行する制御ルーチンを示したフローチャートである。
【図３】時間管理装置が起動された時に実行される制御ルーチンを示したフローチャートである。
【図４】記憶部から処理開始指示信号を入力した時スタートする制御ルーチンを示したフローチャートである。
【図５】本形態の時間管理装置が適用されたリモートサービスシステムを示した図である。
【図６】本形態の時間管理装置が適用された通信管理端末のブロック図である。
【図７】定期処理ルーチンを示したフローチャートである。
【図８】予約処理ルーチンを示したフローチャートである。
【符号の説明】
１４      絶対時計（時計装置）
Ｗ1 、Ｗ2 、Ｗ3     記憶領域
６２      設定部（指示手段）
５４      時計制御部（演算手段、書換手段）
６０      表示部（表示手段）
３２      システム制御部（判断手段、実行手段）
【図１】
0003959780.tif 000002
【図２】
0003959780.tif 000003
【図３】
0003959780.tif 000004
【図４】
0003959780.tif 000005
【図５】
0003959780.tif 000006
【図６】
0003959780.tif 000007
【図７】
0003959780.tif 000008
【図８】
0003959780.tif 000009